(57)【要約】      （修正有）【課題】ライセンスされていないバンドにおいてチャンネル可用性の不確定性を軽減又は少なくとも緩和する上りリンク（ＵＬ）送信及び受信の方法並びに装置を提供する。【解決手段】方法は、ライセンスされていないスペクトラムにおけるＰＵＳＣＨのスケジューリングのために使用される第１の情報を基地局と通信することと、ライセンスされていないスペクトラム上のチャネルをセンスすることと、チャネルがアイドルであることをセンスした後、ＰＵＳＣＨを送信することと、を含む。第１の情報は、シンボル内におけるＰＵＳＣＨの開始位置を示す。開始位置は、サブフレーム内の複数の潜在的な開始位置の１つである。【選択図】図１
2020162168.tif 000002
【特許請求の範囲】
【請求項１】
ユーザ機器（ＵＥ：User Equipment）により実施される方法であって、
ライセンスされていないスペクトラムにおけるＰＵＳＣＨ（Physical Uplink Shared Channel）のスケジューリングのために使用される第１の情報を基地局と通信すること、
前記ライセンスされていないスペクトラム上のチャネルをセンスすること、
前記チャネルがアイドルであることをセンスした後、前記ＰＵＳＣＨを送信すること、を有し、
前記第１の情報は、シンボル内における前記ＰＵＳＣＨの開始位置を示し、前記開始位置は、サブフレーム内の複数の潜在的な開始位置の１つである、方法。
【請求項２】
前記ＰＵＳＣＨの終了位置を示す第２の情報を前記基地局から受信することを更に有し、前記終了位置はサブフレームの最終シンボルであるか、又はサブフレームの最後から２番目のシンボルであることを示す請求項１に記載の方法。
【請求項３】
前記終了位置まで前記ＰＵＳＣＨの送信を実施することを更に有する請求項２に記載の方法。
【請求項４】
前記開始位置は、シンボル０又はシンボル１内に位置する、請求項１から３の何れか１項に記載の方法。
【請求項５】
基地局によって実施される方法であって、
ライセンスされていないスペクトラムにおけるＰＵＳＣＨ（Physical Uplink Shared Channel）のスケジューリングのために使用される第１の情報をユーザ機器（ＵＥ：User Equipment）と通信すること、
前記ライセンスされていないスペクトラム上のチャネルがアイドルであることを前記ユーザ機器がセンスした後、前記ＰＵＳＣＨを受信すること、を有し、
前記第１の情報は、シンボル内における前記ＰＵＳＣＨの開始位置を示し、前記開始位置は、サブフレーム内の複数の潜在的な開始位置の１つである、方法。
【請求項６】
前記ＰＵＳＣＨの終了位置を示す第２の情報を前記ユーザ機器へ送信することを更に有し、前記終了位置はサブフレームの最終シンボルであるか、又はサブフレームの最後から２番目のシンボルであることを示す請求項５に記載の方法。
【請求項７】
前記終了位置まで前記ＰＵＳＣＨを受信することを更に有する請求項６に記載の方法。
【請求項８】
前記開始位置は、シンボル０又はシンボル１内に位置する、請求項５から７の何れか１項に記載の方法。
【発明の詳細な説明】
【技術分野】
【０００１】
本開示の実施形態は、全体として無線通信技術に関し、特に上りリンク（ＵＬ：uplink）送信を実施するための方法及び装置、並びにＵＬ受信を実施するための方法及び装置に関する。
【背景技術】
【０００２】
３ＧＰＰ（3rd Generation Partnership Project）において、３ＧＰＰ無線通信ネットワークと無線ローカルアリアネットワーク（ＷＬＡＮ：Wireless Local Area Network）との間の端末の移動に必要なネットワーク構造及び各種技術は、インターワーキングＷＬＡＮと呼ばれる。マルチモード無線通信技術は、複数の無線通信技術を同時に使用するために、発展した。複数の無線通信技術の同時使用は、それにより単位時間当たりの転送速度を増加し、或いは端末の確実性を向上する。
【０００３】
無線通信において、スペクトラムは非常に希少な資源である。ライセンスされたバンドは、特定の事業者に対して特定の無線サービスを提供するために排他的にライセンスされた周波数バンドを表す。一方、ライセンスされていないバンドは、特定の事業者に割り当てられていないが、あらかじめ定義された要求を満たす全てのエンティティが使用できるように開放された周波数バンドを表す。
【０００４】
世界の地域によっては、ライセンスされていないバンド技術は、例えば、ＬＢＴ（Listen-Before Talk）といった特定の規則、及びチャンネル帯域幅占有要件に従う必要がある。ＬＢＴは、チャンネル可用性の不確定性をもたらす。例えば、ライセンスされていないバンドは、サブフレーム中でいつでも利用可能であり得る。
【０００５】
ＬＴＥ（Long term evolvement）システムにおいて、ＵＬ送信は、ｅＮＢ（evolved node B）により制御される。つまり、ＵＥは、ｅＮＢからのＵＬ許可に従って信号を送信する。従って、ＵＬデータ送信とＵＬ許可送信との間には時間遅延がある。前述したこと、並びに不確定なダウンリンク（ＤＬ：down link）及びＵＬバースト長を考慮すると、これまでの仕組みが使用される場合、ＵＬ送信に対するＵＬ許可を送信するための十分なＤＬサブフレームが存在しないことがあり得る。
【発明の概要】
【発明が解決しようとする課題】
【０００６】
本開示において、従来技術における問題点の少なくとも一部を軽減又は少なくとも緩和するために、ＵＬ送信及び受信に対する新たなソリューションが提供される。
【課題を解決するための手段】
【０００７】
本開示の第１の態様によれば、ＵＬ送信を実施する方法が提供される。方法は、ライセンスされていないキャリア上のクリアチャンネルの検出に応答して、サブフレーム内の複数の潜在的な開始位置から、ＵＬ送信のための送信開始位置を決定すること、及び決定された送信開始位置からＵＬ送信を実施することを有し得る。
【０００８】
本開示の第２の態様において、ＵＬ受信を実施する方法が提供される。方法は、サブフレーム内の複数の潜在的な開始位置の１つである、ＵＬ受信のための受信開始位置を決定すること、及び決定された受信開始位置からＵＬ受信を実施することを有し得る。
【０００９】
本開示の第３の態様において、ＵＬ送信を実施するための装置が提供される。装置は、ライセンスされていないキャリア上のクリアチャンネルの検出に応答して、サブフレーム内の複数の潜在的な開始位置から、ＵＬ送信のための送信開始位置を決定するように構成された送信位置決定部、及び決定された送信開始位置からＵＬ送信を実施するＵＬ送信実行部を備え得る。
【００１０】
本開示の第４の態様において、ＵＬ受信を実施するための装置が提供される。装置は、サブフレーム内の複数の潜在的な開始位置の１つである、ＵＬ受信のための受信開始位置を決定するように構成された受信位置決定部、及び決定された受信開始位置からＵＬ受信を実施するように構成されたＵＬ受信実行部を備え得る。
【００１１】
本開示の第５の態様によれば、実行された場合に、装置に、第１の態様の何れかの実施形態に従う方法における動作を実行させるように構成されたコンピュータプログラムコードが収録されたコンピュータ可読ストレージ媒体が提供される。
【００１２】
本開示の第６の態様によれば、実行された場合に、装置に、第２の態様の何れかの実施形態に従う方法における動作を実行させるように構成されたコンピュータプログラムコードが収録されたコンピュータ可読ストレージ媒体が更に提供される。
【００１３】
本開示の第７の態様によれば、第５の態様に従うコンピュータ可読ストレージ媒体を有するコンピュータプログラム製品が提供される。
【００１４】
本開示の第８の態様によれば、第６の態様に従うコンピュータ可読ストレージ媒体を有するコンピュータプログラム製品が提供される。
【００１５】
本発明の実施形態の他の特徴及び利点は、例として本発明の実施形態の原理を示す添付図面と併せて読めば、以下の特定の実施形態の説明から明らかになるであろう。
【図面の簡単な説明】
【００１６】
本発明の実施形態は例示の意味で提供され、その利点は、添付図面を参照してより以下により詳細に説明される。
【図１】図１は、本発明の一実施形態によるＵＬ送信を実施するための方法１００のフローチャートを模式的に示す。
【図２】図２は、本発明の１つの実施形態によるＵＬ送信スキームの模式図を模式的に示す。
【図３】図３は、本発明の他の実施形態によるＵＬ送信スキームの別の模式図を模式的に示す。
【図４】図４は、本発明の別の実施形態によるＵＬ送信を実施するための方法４００のフローチャートを模式的に示す。
【図５】図５は、本開示の１つの実施形態に従うＵＬ受信の実施の方法５００のフローチャートを模式的に示す。
【図６】図６は、本開示の他の実施形態に従うＵＬ受信の実施の方法６００のフローチャートを模式的に示す。
【図７】図７は、本開示の１つの実施形態に従うＵＬ送信を実施するための装置７００のブロック図を模式的に示す。
【図８】図８は、本開示の他の実施形態に従うＵＬ送信を実施するための装置８００のブロック図を模式的に示す。
【図９】図９は、本開示の１つの実施形態に従うＵＬ受信を実施するための装置９００のブロック図を模式的に示す。
【図１０】図１０は、本開示の別の実施形態に従うＵＬ受信を実施するための装置１０００のブロック図を模式的に示す。
【図１１】図１１は、本明細書に記載される無線ネットワークにおけるＵＥとして具現化され、或いはＵＥ内に含まれ得る装置１１１０、及び、基地局として具現化され、或いは基地局内に含まれ得る装置１１２０の簡略化されたブロック図を更に示す。
【発明を実施するための形態】
【００１７】
以下、添付図面を参照しつつ、本開示において提供されるソリューションが実施形態を通じて詳細に説明される。なお、これら実施形態は、当業者が本開示をより理解し、実施することを可能にするためにのみ提供され、いかなる態様においても本開示の範囲を限定するものではない。
【００１８】
添付図において、本開示の種々の実施形態がブロック図、フローチャート、及び他の図において説明される。フローチャートにおける各ブロック又は複数のブロックは、モジュール、プログラム、又はコードの一部を表すことができ、それらは特定の論理機能を実施するための１以上の実行可能な命令を含んでおり、本開示において、必ずしも必要ではないブロックは破線で示される。また、これらブロックは、方法のステップを実施するための特定のシーケンスにおいて描かれているが、実際には、これらブロックは厳密に示されるシーケンスに従って実施される必要はない。例えば、ブロックは、逆のシーケンス又は同時に実施されることがあり、これは、それぞれの動作の性質に依存する。なお、ブロック図及び／又はフローチャートにおける各ブロック、並びにそれらの組み合わせは、特定の機能／操作を実施するための専用のハードウェアベースのシステム、又は専用ハードウェアとコンピュータ命令との組み合わせにより実現され得る。
【００１９】
全般的に、請求の範囲において使用される用語は、本明細書において明示的に定義されていない限り、技術分野における通常の意味に従って解釈される。“a/an/the/said「要素、デバイス、コンポーネント、手段、ステップなど」”への言及は、そうでないと明示的に宣言されていない限り、複数のそのようなデバイス、コンポーネント、手段、ユニット、ステップなどを排除することなく、少なくとも１つの要素、デバイス、コンポーネント、手段、ユニットステップなどのインスタンスへの言及としてオープンに解釈される。また、本明細書において用いられる不定冠詞“a/an”は、複数のそのようなステップ、ユニット、モジュール、デバイス、及びオブジェクトなどを排除するものではない。
【００２０】
加えて、本開示の文脈において、ユーザ機器（ＵＥ：User Equipment）は、端末、モバイル端末（ＭＴ：Mobile Terminal）、加入者局（ＳＳ：Subscriber Station）、携帯加入者局（ＰＳＳ：Portable Subscriber Station）、モバイル局（ＭＳ：Mobile Station）、又はアクセス端末（ＡＴ：Access Terminal）を参照することがあり、ＵＥ、端末、ＭＴ、ＳＳ、ＰＳＳ、ＭＳ、又はＡＴのいくつかの又は全ての機能が含まれ得る。更に、本開示の文脈において、用語“ＢＳ”は、例えばノードＢ（ＮｏｄｅＢ又はＮＢ）、エボルブドノードＢ（ｅＮｏｄｅＢ又はｅＮＢ）、ラジオヘッダ（ＲＨ：Radio Header）、リモートラジオヘッド（ＲＲＨ：Remote Radio Head）、リレー、又はフェムト、ピコなどの低電力ノード、などを表し得る。
【００２１】
本開示の実施形態は、ＵＬ送信及び受信のための新たなソリューションを対象とする。ソリューションは、ｅＮＢのようなサービングノードとＵＥのような端末装置との間で、部分サブフレーム送信をサポートするために実施され得る。特に、ライセンスされていないキャリア上にクリアチャンネルが検出されると、端末装置は、サブフレームにおける複数の潜在的な開始位置からＵＬ送信のための送信開始位置を決定し、決定した送信開始位置からＵＬ送信を実施することができる。サービングノードは、ＵＬ受信のための受信開始位置を決定し、決定した受信開始位置からＵＬ受信を実施する。このようにして、部分サブフレームから開始するＵＬ送信を実施することができる。また、追加的に、又は代替的に、部分サブフレームで終了するＵＬ送信をサポートすることもできる。そのような場合に、サービングノードは、終了位置指示情報を端末装置に送信し、終了位置指示情報に基づいてＵＬ受信を実施することができ、ここで、ＵＬ受信の受信終了位置は、複数の潜在的な終了位置の１つである。従って、端末装置は、終了位置指示情報を受信し、終了位置指示情報に基づいてＵＬ送信を実施できる。このように、一度チャンネルが待機状態に入ると、送信は次のサブフレームに代えて現在のサブフレームから開始することができ、従ってリソースの利用効率が向上する。また、ＵＬデータ送信とＵＬ許可送信との間の時間遅延を削減することができ、リソースの利用効率が向上する。
【００２２】
本開示いくつかの実施形態において、ＵＬ送信は、上りセルラー送信であり得る。上りセルラー送信において、端末装置は、ターミナル、ＭＴ、ＳＳ、ＰＳＳ、ＭＳ、又はＡＴなどのＵＥを構成し得る。一方、サービングノードは、ノードＢ（ＮｏｄｅＢ又はＮＢ）又はエボルブドノードＢ（ｅＮｏｄｅＢ又はｅＮＢ）などのＢＳを構成し得る。
【００２３】
別の実施形態によれば、本発明は、ロングタームエボリューション（ＬＴＥ）システム、又はロングタームエボリューションアドバンスド（ＬＴＥ−Ａ）システムを含むがこれらには限定されない種々の通信システムに適用し得る。通信における急速な進歩を考慮すると、本発明が疑念なく具現化し得る将来のタイプの無線通信技術及びシステムが存在するであろう。したがって、本発明の範囲を前述のシステムにのみに限定するものとして認識されるべきではない。
【００２４】
以下、本発明のいくつかの例示的な実施形態が図１から１１を参照しつつ詳細に説明される。しかしながら、これら例示的な実施形態は説明の目的のために提供され、本開示は、例示的な実施形態を参照して説明される特定の詳細には限定されない。
【００２５】
まず、本開示の一実施形態に従うＵＬ送信を実施する方法１００のフローチャートを示す図１が参照される。方法１００は、例えば、ＵＥ又はその他の適切な装置などの端末装置により実施され得る。
【００２６】
図１に示されるように、方法１００は、ステップ１１０から開始し、ステップ１１０において、ライセンスされていないキャリア上のクリアチャネルの検出に応答して、ＵＬ送信のための送信開始位置が、サブフレーム内の複数の潜在的な開始位置から決定される。
【００２７】
本発明の実施形態によれば、サブフレームは、複数のシンボルを有する。例として、サブフレームは１ｍｓであり、例えばシンボル０から１３の１４個のシンボルを有し得る。しかしながら、このサブフレーム構成は、現行のＬＴＥシステムにおいて使用されるものであり、説明の目的のためだけに与えられると認識されるべきである。このサブフレーム構成は、以下の内容において一例となるが、本開示はそれに限定されず、実際には、サブフレームは、他の通信システム又は将来の通信システムにおいて異なる構成を取り得ることが可能であり、例えばサブフレーム構成はサブフレームにおいてより多くの又はより少ないシンボルを有し得る。
【００２８】
潜在的な開始位置、潜在的な終了位置、送信開始位置、現在位置、次の位置などにおいて、使用される用語「位置」は、サブフレームにおける時間位置又は期間を意味し得る。いくつかの実施形態において、位置は、サブフレームにおける特定の時点に対応し得る。代替として、位置は、サブフレームのシンボルに対応し得る。これに関して、位置は期間、例えばシンボルの期間を占めることがある。特に、この意味において、送信開始位置は、そこからＵＬ送信が開始され得る目標位置を意味することができ、潜在的な開始位置は、送信開始位置の候補であるあらかじめ定められた位置を意味し得る。
【００２９】
本発明の実施形態によれば、１つのサブフレームに、１より多い潜在的開始位置が事前に定義され得る。言い換えれば、サブフレームの境界に加えて、サブフレーム内に１以上の開始位置を更に有し得る。例えば、複数の潜在的開始位置は、サブフレーム境界、スロット境界、任意のシンボルの開始位置、及び上りリンクパイロットタイムスロット（ＵｐＰＴＳ：Uplink Pliot Time Slot）の開始位置の何れか有し得る。つまり、ＵＬ送信の潜在的な開始位置は、サブフレーム境界、スロット境界、任意のシンボルの開始位置、及びＵｐＰＴＳの開始位置のうちの任意の２以上であり得る。サブフレーム境界は、ＵＬ送信がサブフレームの境界から開始されることができることを意味し、それは、全サブフレーム送信に属する。スロット境界は、ＵＬ送信はサブフレームの途中から、又はサブフレーム内の最後の７個のシンボルから開始することができることを意味し、それは半サブフレーム送信を意味する。任意のシンボルの開始位置は、ＵＬ送信がシンボル０から１３の何れかから開始でき、すなわち、サブフレーム内の各シンボルは潜在的な開始位置としてあらかじめ定義されることができることを意味し、それは部分サブフレーム送信の他の形式に属する。ＵｐＰＴＳの開始位置は、ＵＬ送信はサブフレームにおける最後の６個のシンボルから開始できることを意味し、それらは部分サブフレーム送信の更なる形式を意味する。
【００３０】
本発明の実施形態によれば、クリアチャネルアセスメント（ＣＣＡ：Clear Chanel Assessment）又は拡張クリアチャネルアセスメント（ｅＣＣＡ：Extended Clear Chanel Assessment）が実施され得る。ＣＣＡ／ｅＣＣＡにより、送信機は、ライセンスされていないキャリア上でチャネルが利用可能であるか否かを検出し得る。チャネルが利用可能になったことの検出に応答して、送信機は、いくつかの方法で複数の潜在的な開始位置から送信開始位置を決定し得る。いくつかの実施形態において、現在の位置が潜在的な開始位置であるか否かが、まず検出される。現在の位置が潜在的な開始位置であると判断された場合、その潜在的な開始位置は、ＵＬ送信のターゲット位置、すなわち送信開始位置として決定され得る。そうでない場合、潜在的な開始位置の検出は、潜在的な開始位置が検出され、送信開始位置として決定されるまで継続される。更に、決定された送信開始位置の前に、クリアチャネルを予約するために予約信号が送信されることができる。つまり、予約信号は、ＵＬ送信が実施される前に送信されることができる。
【００３１】
加えて、ＵＬ送信に対して決定された送信開始位置を示す情報である開始位置指示情報が、ｅＮＢなどのサービングノードに更に送信され得る。ＵＬ送信は、サブフレーム境界などの固定された開始位置から開始しない可能性があり、従って、ＵＬ受信をかなり容易にすることができるため、サービングノードがどこからＵＬ送信が開始するのかを知ることが有益である。ＵＬ信号を盲目的な手法で検出することも可能であり、そのような場合、サービングノードは、送信開始位置を知ることを要求されない。しかしながら、送信開始位置についての情報は、検出された信号の確度を保証する。
【００３２】
ステップ１２０において、ＵＬ送信が決定された送信開始位置から実施され得る。ＵＬ送信は、物理上りリンク制御チャネル（ＰＵＣＣＨ：Physical Uplink Control Channel）信号、及び物理上りリンク共有チャネル（ＰＵＳＣＨ：Physical Uplink Sharing Channel）を送信することを有し、ＰＵＳＣＨ信号は、スケジューリング要求、ＡＣＫ／ＮＡＣＫ、チャネル状態情報（ＣＳＩ：Channel State Information）などを含み得る。本開示の実施形態によれば、送信開始位置が一度決まると、ＵＬ送信は決定された送信開始位置から実施されることができる。従って、本開示の実施形態において、決定された送信開始位置は、通常、そこからＵＬ送信が開始可能な最も早い潜在的な位置であり、このため、リソース利用効率が向上できる。
【００３３】
図２は、本開示の一実施形態によるＵＬ送信スキームの模式図を模式的に示す。図２は、例示的に、サブフレーム０から３の４つのサブフレームを示す。サブフレーム０について、２つの潜在的な開始位置２１１及び２１３があり、サブフレーム１についても、同様に、２つの潜在的な開始位置２１４及び２１５がある。具体的に、潜在的な開始位置２１１及び２１４はサブフレーム境界、すなわちサブフレームの開始位置又はサブフレームにおける最初のタイムスロットの開始位置に対応する。潜在的な開始位置２１３及び２１５は、スロット境界、すなわちサブフレームにける２つ目のタイムスロットの開始位置に対応する。ＣＣＡ／ｅＣＣＡの間、端末装置は、位置２１２においてチャネルが利用できると決定し得る。位置２１２は潜在的な開始位置ではないため、端末装置は、位置２１２から潜在的な開始位置になるまで、例えばクリアチャネルが検出された位置２１２から最も近い潜在的な開始位置である潜在的な開始位置２１３になるまで予約信号を送信し得る。潜在的な開始位置２１３は、ＵＬ送信のための送信開始位置として決定されることができ、その後、ＵＬ送信は決定された送信開始位置から開始し得る。こうして、この例では、送信開始位置が潜在的な位置２１３に決定され、ＵＬ送信が、次のサブフレームまで待機することなく現在のサブフレームにおける位置２１３から実施されることが、明らかである。
【００３４】
図３は、本開示の別の実施形態によるＵＬ送信スキームの別の模式図を模式的に示す。図３に示されるＵＬ送信スキームは、チャネルが利用可能な位置が異なる点を除いて、図２におけるものと同様である。図３において、ＣＣＡ／ｅＣＣＡの間、送信機は、位置２１２に代えて位置２１２’においてチャネルが利用可能であると判断し得る。図３では、位置２１２’は潜在的な位置ではなく、潜在的な位置２１１及び２１３の後ろであり、従って、端末装置は、位置２１２’から次の潜在的な位置になるまで予約信号を送信し得る。次の潜在的な位置は、例えばクリアチャネルが検出された位置２１２’から最も早い潜在的な開始位置である潜在的な位置２１４であり、潜在的な位置２１４は、送信開始位置として決定され得る。そのような場合、ＵＬサブフレーム送信は、位置２１２’から最も早い潜在的な開始位置である次のサブフレームの境界から開始され得る。
【００３５】
ここで、図２及び図３は、サブフレームにおける２つの潜在的な送信位置の例を単に説明の目的で示しており、実際のところ、本開示はそれらには限定されない。本開示のいくつかの実施形態において、図２又は図３において示されるものとは異なる潜在的な開始位置が存在する可能性があり、及び／又は、より多くの潜在的な開始位置が存在する可能性がある。事実、これら潜在的な開始位置は、サブフレーム境界、スロット境界、任意のシンボルの開始位置、及びＵｐＰＴＳの開始位置の任意の適切な組み合わせであり得る。
【００３６】
また、本開示は、部分サブフレームで終了するＵＬ送信をサポートし、それは図４を参照して後で詳細に記述される。部分サブフレームで終了するＵＬ送信をサポートするソリューションは、部分サブフレームから開始するＵＬ送信をサポートするソリューションに対して追加的なソリューションとして使用され得る。または、部分サブフレームで終了するＵＬ送信をサポートするソリューションは、部分サブフレームから開始するＵＬ送信をサポートするソリューションに対して代替的なソリューションとして実施され得る。言い換えれば、２つのソリューションは共に使用され、又は２つのソリューションは別々に独立して使用され得る。つまり、２つのソリューションのそれぞれは、別々にクレームされ得る。
【００３７】
本発明の別の実施形態によるＵＬ送信を実施するための方法４００のフローチャートを示す図４が参照される。方法４００は、例えばＵＥや他の適切なデバイスなどの端末装置により実施され得る。
【００３８】
図４に示されるように、方法は４１０から開始され、４１０において、ＵＬ送信の送信終了位置を示す終了位置指示情報が受信される。ここで使用される送信終了位置は、ＵＬ送信が終了するであろうターゲット位置を参照し得る。終了位置指示情報は、種々の方法で受信されることができる。例えば、終了位置指示情報は、新たなＲＲＣ信号、又は、送信終了位置を暗示的に若しくは明示的に示すＤＣＩフォーマット１Ｃにおけるビットから受信され得る。
【００３９】
ＵＬ送信の送信終了位置は、複数の潜在的な終了位置の１つとすることができる。潜在的な終了位置は、送信終了位置の候補であるあらかじめ定義された位置を参照し得る。本開示の実施形態において、全サブフレームの方式で終了することに加えて、ＵＬ送信が部分サブフレームの方式で終了することが許容される。換言すれば、ＵＬ送信はサブフレーム内で終了することができ、ＵＬ送信がサブフレームの終了位置において終了することは要求されない。
【００４０】
本開示のいくつかの実施形態において、複数の潜在的な終了位置は、サブフレーム境界、スロット境界、任意のシンボルの終了位置、及び所定シンボルの終了位置の何れかを含む。サブフレーム境界及びスロット境界は、既に本明細書において、部分サブフレームから開始するＵＬ送信をサポートするソリューションを参照して記述されており、従ってここでは詳述されない。任意のシンボルの終了位置は、ＵＬ送信が任意のシンボルにおいて終了できることを意味する。所定シンボルの終了位置は、ＵＬ送信が、任意のシンボルの終了位置に代えて、所定シンボルの終了位置において終了することが許容されるソリューションを意味する。説明の目的のために、下記において、所定シンボルの例が記述される。
【００４１】
前述のように、サブフレーム内にはあらかじめ定義された１以上の潜在的な終了位置が存在し得る。潜在的な終了位置のそれぞれは、周期的に又は非周期的に、サブフレームのシンボルに対応し得る。本開示のいくつかの実施形態において、下りリンクパイロットタイムスロット（ＤｗＴＰＳ：Downlink Pilot Time Slot）と同様な構造が使用され得る。つまり、所定シンボルは、シンボル３、６、９、１０、１１、１２を含み得る。加えて、所定シンボルは、シンボル３、６、９、１０、１１、１２のサブセットを含み得る。
【００４２】
他の実施形態において、潜在的な終了位置は、ｋごとのシンボル、例えばシンボル０、３、６、９、及び１２（ｋ＝３）を含み得る。例えば、潜在的な終了位置は、下記式に設定されうる。
【００４３】
mod (N, Nd) = x (x∈[0,Nd-1]),                  (1)
ここで、Ｎはサブフレームにおけるシンボルのインデックスを表し、Ｎｄは２つの潜在的な終了位置の間の間隔を表す整数で、１からサブフレーム内のシンボルの総数、例えば１４までの範囲の整数であり得る。式（１）によれば、Ｎｄが小さいほど、潜在的な位置がより密に決定され得る。
【００４４】
なお、上記式は、限定のためではなく、例示として説明される。代替的な実施形態において、潜在的な位置の非周期的な構成が存在し得る。例えば、潜在的な位置は、シンボル０、３、８、及び１２に対応し得る。
【００４５】
次いで、ステップ４２０において、ＵＬ送信が終了位置指示情報に基づいて実施されることができる。図２に示されるように、ＵＬ送信は、位置２１６、すなわちサブフレーム３の開始位置において終了することができる。言い換えれば、ＵＬ送信は、サブフレーム２の終了位置において終了することができる。一方、図３に示されるように、ＵＬ送信は、位置２１６’、すなわちサブフレーム３における２つの目スロットのスロット境界において終了することができる。
【００４６】
ここで、図２及び図３は、サブフレーム内における２つの異なる潜在的な終了位置を説明の目的のためにのみ示しており、本開示はそれらに限定されるものではない。本開示のいくつかの実施形態において、図２又は図３に示されたものとは異なる潜在的な終了位置が存在する場合があり、及び／又は、より多数の潜在的な終了位置が存在する場合がある。実際、それら潜在的な終了位置は、サブフレーム境界、スロット境界、任意のシンボルの終了位置、及び所定シンボルの終了位置の任意の適切な組み合わせであり得る。また、図２及び図３は、部分サブフレーム開始、及び部分サブフレーム終了の双方をサポートするＵＬ送信を示している。しかしながら、上記したように、部分サブフレーム開始ソリューション及び部分サブフレーム終了ソリューションは、別々に及び独立して使用されることもでき、従って、別々にクレームされる。
【００４７】
次に図５が参照され、図５は、本開示の一実施形態に従うＵＬ受信の実施の方法５００のフローチャートを模式的に示し、方法５００はｅＮＢなどのサービングノードで実施されることができる。
【００４８】
図５において示されているように、方法５００はステップ５１０から開始し、ステップ５１０において、ＵＬ受信に対して、サブフレーム内の複数の潜在的な開始位置の１つである受信開始位置が決定される。図１を参照して記述されるように、ＵＬ送信は複数の潜在的な開始位置の何れかから開始され得る。複数の潜在的な開始位置は、サブフレーム境界、スロット境界、シンボルの開始位置、及び上りリンクパイロットタイムスロット（ＵｐＰＴＳ）の開始位置の何れかを含む。そのような場合、ｅＮＢなどのサービングノードにおいて、サービングノードは、ＵＬ送信の送信開始位置を決定するために、全ての潜在的な開始位置に対してブラインド検出を実施し得る。決定された、ＵＬ送信の送信開始位置は、ＵＬ受信に対する受信開始位置として用いられる。
【００４９】
本開示の他の実施形態において、端末装置は、ＵＬ送信が実際に実施される送信開始位置を示すために、サービングノードに開始位置指示情報を送信し得る。サービングノードは、開始位置指示情報を受信することができ、そこから送信開始位置を取得し、取得した送信開始位置を、ＵＬ受信に対する受信開始位置として決定する。
【００５０】
次いで、ステップ５２０において、決定された受信開始位置からＵＬ受信が実行され、ＵＬ信号において送信されるデータが取得される。
【００５１】
部分サブフレームで終了するＵＬ受信をサポートするソリューションを記述するために図６が更に参照され、図６は、本開示の他の実施形態に従うＵＬ受信の実施の方法６００のフローチャートを模式的に示す。方法６００は、ｅＮＢなどのサービングノードで実行されることができる。
【００５２】
まず、ステップ６１０において、ＵＬ送信の送信終了位置を示す終了位置指示情報が送信される。
【００５３】
ＵＬ送信の終了位置は、ｅＮＢなどのサービングノードにより決定され得る。ｅＮＢは、任意の適切な方法で終了位置を決定することができる。本開示の実施形態において、終了位置は、デフォルト送信位置、送信される信号の量、及び、許可される最大チャネル占有時間、或いは他の適切な情報に基づいて決定され得る。または、ＵＬ送信の終了位置は、り、デフォルト送信開始位置からサブフレームの固定数だけの位置として決定されることができる。
【００５４】
終了位置指示情報は、種々の方法で受信されることができる。例えば、終了指示情報は、新たなＲＲＣ信号、又はＤＣＩフォーマット１Ｃにおけるビットにより暗示的に又は明示的に送信され得る。
【００５５】
本開示のいくつかの実施形態において、複数の潜在的な終了位置は、サブフレーム境界、スロット境界、任意のシンボルの終了位置、及び所定シンボルの終了位置の何れかを含むことができる。所定シンボルは、周期的に又は非周期的である、サブフレーム内の複数のシンボルを含み得る。例えば、所定シンボルは、シンボル３、６、９、１０、１１、１２、又はそれらの任意のサブセットを含み得る。本開示の他の実施形態において、潜在的な終了位置は、ｋごとのシンボル、例えばシンボル０、３、６、９、及び１２（ｋ＝３）を含み得る。つまり、所定シンボルは、シンボル０、３、６、９、及び１２を含み得る。しかしながら、所定シンボルはシンボル０、３、８、及び１２、又は異なる非周期的な構成若しくは周期的な構成の任意の他のシンボルでもあり得ることが理解される。
【００５６】
次いで、ステップ６２０において、ＵＬ受信がＵＬ送信の送信終了位置に基づいて実施される。言い換えれば、ＵＬ受信は、送信終了位置において終了し得る。端末装置がデフォルト送信位置においてＵＬ送信を実施しない場合、サービングノードは、デフォルト送信位置と実際の送信位置との間の差、及び決定された送信終了位置に基づいて実際の終了位置を再推定する。
【００５７】
ＵＬ送信がサブフレーム内で終了することが許可される場合、それに従ってＵＬ送信に対する搬送ブロックサイズが調整されるべきである。搬送ブロックサイズは、ＵＬ送信において送信されるデータブロックのサイズを示す。本発明の実施形態によれば、搬送ブロックサイズは、種々の方法で決定され得る倍率に従って調整され得る。いくつかの実施形態において、最後のサブフレームの終了シンボルは、部分サブフレームの利用可能なシンボルと考えられ得る。それは、利用可能なシンボルの数に関連する倍率を決定し、そして倍率に基づいて搬送ブロックサイズを決定し得る。倍率は、いくつかの方法で定義され得る。表１は、異なる利用可能なシンボルの数に関連する倍率の例を示す。
【表１】
2020162168.tif 000003
【００５８】
倍率は、表１及び部分サブフレームにける利用可能なシンボルの数に基づいて決定され得る。例えば、利用可能なシンボルの数が４であれば倍率は０．２５に決定され、利用可能なシンボルの数が１０であれば倍率は０．７５に決定される。
【００５９】
いくつかの実施形態において、搬送ブロックサイズは、いくつかの方法で倍率に基づいて決定され得る。例として、送信に対して割り当てられたリソースブロックの数を示す第１のリソースブロック数が取得され得る。ｅＮＢなどのサービングノードに対して、第１のリソースブロック数はリアルタイムで決定され得る。その後、第１のリソースブロック数及び倍率に基づいて、第２のリソースブロック数が決定され得る。一実施形態において、第２のリソースブロック数は、下記のように決定され得る。
【数１】
2020162168.tif 000004
上記において、Ｎ’ＰＲＢは第１のリソースブロック数を表し、ＮＰＲＢは第２のリソースブロック数を表し、Ｆａｃｔｏｒは倍率を表す。このように、搬送ブロックサイズが決定され得る。
【００６０】
なお、上記例は単に説明の目的のために提供される。実際、他の方法、例えば搬送ブロックサイズテーブルにより、搬送ブロックサイズを決定することも可能である。
【００６１】
図７は、本開示の一実施形態に従うＵＬ送信を実施するための装置７００のブロック図を模式的に示す。本開示の実施形態に従って、装置７００は、ＵＥなどのユーザ端末装置において部分サブフレーム開始ＵＬ送信をサポートするために実装され得る。
【００６２】
図７に示されるように、装置７００は、送信位置決定部７１０、及びＵＬ送信実行部７２０を有する。送信位置決定部は、ライセンスされていないキャリア上におけるクリアチャネルの検出に応答して、ＵＬ送信に対して、サブフレーム内の複数の潜在的な開始位置から送信開始位置を決定するように構成されることができる。ＵＬ送信実行部７２０は、決定された送信開始位置からＵＬ送信を実施するように構成されることができる。
【００６３】
本開示の実施形態において、複数の潜在的な開始位置は、サブフレーム境界、スロット境界、任意のシンボルの開始位置、及びＵｐＰＴＳの開始位置の何れかを含むことができる。
【００６４】
本開示の更なる実施形態において、装置７００は、予約信号送信部７３０を更に有することができる。予約信号送信部７３０は、ＵＬ送信が実施される前に、予約信号を送信してクリアチャネルを予約する。
【００６５】
本開示の更なる実施形態において、装置７００は、ＵＬ送信に対して決定された送信開始位置を示す送信開始位置指示情報を送信するように構成された開始位置送信部７４０を有することができる。そのようなやり方で、ｅＮＢなどのサービングノードは、実際の送信開始位置を知ることができる。
【００６６】
図８は、本開示の他の実施形態に従うＵＬ送信を実施するための装置８００のブロック図を模式的に示す。本開示の実施形態に従って、装置８００は、部分サブフレーム終了ＵＬ送信をサポートするために、ＵＥなどのユーザ端末装置において実装されることができる。
【００６７】
図８に示されるように、装置８００は、終了指示受信部８１０、及びＵＬ送信実行部８２０を有する。終了指示受信部８１０は、ＵＬ送信の送信終了位置を示す終了位置指示情報を受信するように構成されることができる。ＵＬ送信実行部８２０は、終了位置指示情報に基づいてＵＬ送信を実施するように構成されることができる。
【００６８】
本開示の実施形態において、ＵＬ送信の送信終了位置は、複数の潜在的な終了位置の１つであり得る。
【００６９】
本開示の更なる実施形態において、複数の潜在的な終了位置は、サブフレーム境界、スロット境界、任意のシンボルの終了位置、及び所定シンボルの終了位置の何れかを含み得る。
【００７０】
装置８００は、装置７００に組み込まれ、その構成要素を形成することができ、その場合、ＵＬ送信実行部７２０及び８２０は１つのユニットに組み込まれることができる。代替として、装置８００は、装置７００とは独立した装置に実装されることもでき、したがって単独でクレームされる。
【００７１】
図９は、本開示の一実施形態に従うＵＬ受信を実施するための装置９００のブロック図を模式的に示す。本開示の実施形態に従って、装置９００は、部分サブフレームから開始するＵＬ受信をサポートするために、ｅＮＢなどのサービングノードにおいて実装されることができる。
【００７２】
図９に示されるように、装置９００は、受信位置決定部９１０及びＵＬ受信実行部９２０を有する。受信位置決定部９１０は、ＵＬ受信に対して、サブフレーム内の複数の潜在的な開始位置の１つである受信開始位置を決定するように構成され得る。ＵＬ受信実行部９２０は、決定された受信開始位置からＵＬ受信を実施するように構成され得る。
【００７３】
本開示の実施形態において、複数の潜在的な開始位置は、サブフレーム境界、スロット境界、シンボルの開始位置、及び上りリンクパイロットタイムスロット（ＵｐＰＴＳ）の開始位置を含み得る。
【００７４】
本開示の別の実施形態において、装置９００は、開始位置受信部９３０を更に有することができ、開始位置受信部９３０は、ＵＬ送信が実施される送信開始位置を示す受信開始位置指示情報を受信するように構成され得る。その場合、受信位置決定部９１０は、開始位置指示情報で示される送信開始位置に基づいて、ＵＬ受信に対する受信開始位置を決定するように構成される。
【００７５】
図１０は、本開示の別の実施形態に従うＵＬ受信を実施するための装置１０００のブロック図を模式的に示す。本開示の実施形態に従って、装置１０００は、部分サブフレームにおいて終了するＵＬ受信をサポートするために、ｅＮＢなどのサービングノードにおいて実装されることができる。
【００７６】
示されるように、装置１０００は、終了指示送信部１０１０、及びＵＬ受信実行部１０２０を有する。終了指示送信部１０１０は、ＵＬ送信の送信終了位置を示す終了位置指示情報を送信するように構成され得る。ＵＬ受信実行部１０２０は、ＵＬ送信の送信終了位置に基づいてＵＬ受信を実施するように構成され得る。
【００７７】
本開示の実施形態において、ＵＬ受信の受信終了位置は、複数の潜在的な終了位置の１つであり得る。
【００７８】
本開示の更なる実施形態において、複数の潜在的な終了位置は、サブフレーム境界、スロット境界、任意のシンボルの終了位置、及び所定シンボルの終了位置の何れかを含み得る。
【００７９】
装置１０００は、装置９００に組み込まれ、その構成要素を形成することができ、その場合、ＵＬ受信実行部９２０及び１０２０は１つのユニットに組み込まれることができる。代替として、装置１０００は、装置９００から独立した装置として実装されることもでき、従って単独でクレームされる。
【００８０】
ここまで、装置７００、８００、９００、及び１０００は、図７から図１０を参照して簡単に説明された。なお、装置７００、８００、９００、及び１０００は、図１から図６を参照して説明したものと同様な機能を実装するために構成され得る。従って、これら装置におけるモジュールの動作についての詳細は、方法のそれぞれのステップに関して図１から図６を参照してなされた記述が参照されうる。
【００８１】
さらに、装置７００、８００、９００、及び１０００の構成要素は、ハードウェア、ソフトウェア、ファームウェア、及び／又はそれらの任意の組み合わせで具現化され得る。例えば、装置７００、８００、９００、及び１０００の構成要素は、それぞれ回路、プロセッサ、又は任意の他の適切な選択デバイスにより実現されてもよい。加えて、当業者は、前述の例は説明のみのためのものであって限定のためのものでなく、本開示がそれらに限定されないことを理解するであろう。当業者は、本明細書に提供された教示から多くの変形、追加、削除、及び改変を容易に想到することができ、これらの全ての変形、追加、削除および改変は、本開示の保護範囲に入る。
【００８２】
加えて、本開示のいくつかの実施形態において、装置７００、８００、９００、及び１０００は、それぞれ少なくとも１つのプロセッサを有し得る。本開示の実施形態と共に使用することに適した少なくとも１つのプロセッサは、例として、既に知られた、又は将来において開発される、一般的な及び特定の目的のプロセッサの双方を含み得る。装置７００、８００、９００、及び１０００は、それぞれ少なくとも１つのメモリを有し得る。少なくとも１つのメモリは、例えば、半導体メモリデバイス、例えばＲＡＭ、ＲＯＭ、ＥＰＲＯＭ、ＥＥＰＲＯＭ及びフラッシュメモリデバイスを含み得る。少なくとも１つのメモリは、コンピュータが実行可能な命令のプログラムを格納するために使用され得る。プログラムは、任意の、高レベル、及び／又は低レベルのコンパイル可能又は解釈可能なプログラミング言語で記述され得る。実施形態に従って、コンピュータ実行可能な命令は、少なくとも１つのプロセッサと共に、装置７００、８００、９００、及び１０００に、図１から図６をそれぞれ参照して議論されたような方法に従う動作を少なくとも実行させるように構成され得る。
【００８３】
図１１は、無線ネットワークにおける無線ネットワークのためのＵＥなどの端末装置として具現化され、或いは端末装置内に含まれ得る装置１１１０、及び、本明細書に記載されるＮＢ又はｅＮＢなどの基地局として具現化され、或いは基地局内に含まれ得る装置１１２０の簡略化されたブロック図を更に示す。
【００８４】
装置１１１０は、データプロセッサ（ＤＰ：Data Processor）などの少なくとも１つのプロセッサ１１１１、及びプロセッサ１１１１に結合された少なくとも１つのメモリ（ＭＥＭ）１１１２を有する。装置１１１０は、プロセッサ１１１１に結合された送受信機（ＴＸ／ＲＸ）１１１３を更に有することができ、それは、装置１１２０に通信可能に接続するように動作可能であってよい。ＭＥＭ１１１２は、プログラム（ＰＲＯＧ）１１１４を格納する。ＰＲＯＧ１１１４は、関連するプロセッサ１１１１上で実行されたとき、装置１１１０が本開示の実施形態に従って動作すること、例えば方法１００、及び／又は方法４００を実行することを可能とする命令を含み得る。少なくとも１つのプロセッサ１１１１と少なくとも１つのＭＥＭ１１１２との組み合わせは、本開示の種々の実施形態を実施するのに適した処理手段１１１５を形成し得る。
【００８５】
装置１１２０は、ＤＰなどの少なくとも１つのプロセッサ１１２１、プロセッサ１１２１に結合された少なくとも１つのＭＥＭ１１２２を有する。装置１１２０は、プロセッサ１１２１に結合された適切なＴＸ／ＲＸ１１２３を更に有することができ、それは装置１１１０と無線通信するために動作可能であってよい。ＭＥＭ１１２２はＰＲＯＧ１１２４を格納する。ＰＲＯＧ１１２４は、関連するプロセッサ１１２１上で実行されたとき、装置１１２０が本開示の実施形態に従って動作すること、例えば方法５００、及び／又は６００を実行することを可能とする。少なくとも１つのプロセッサ１１２１と少なくとも１つのＭＥＭ１１２２との組み合わせは、本開示の種々の実施形態を実施するのに適した処理手段１１２５を形成し得る。
【００８６】
本開示の種々の実施形態は、１以上のプロセッサ１１１１、１１２１によって実行されるプログラム、ソフトウェア、ファームウェア、ハードウェア、又はそれらの組み合わせにより実施され得る。
【００８７】
ＭＥＭ１１１２及び１１２２は、ローカルな技術環境に適した任意のタイプのものであってよく、非限定的な例として、半導体ベースのメモリデバイス、磁気メモリデバイス及びシステム、光学メモリデバイス及びシステム、固定されたメモリ及びリムーバブルメモリなどの任意の適したデータストレージ技術を用いて実装されてもよい。
【００８８】
プロセッサ１１１１及び１１２１は、ローカルな技術環境に適した任意のタイプのものであってよく、非限定的な例として、一般用途のコンピュータ、特定用途のコンピュータ、マイクロプロセッサ、デジタル信号プロセッサＤＰＳ、及びマルチコアプロセッサアーキテクチャに基づくプロセッサの１以上を含み得る。
【００８９】
加えて、本開示は、上記したコンピュータプログラムを含む担体も提供してもよく、その担体は、電気信号、光信号、無線信号、又はコンピュータ可読媒体の１つである。コンピュータ可読媒体は、例えば、ＲＡＭ（random access memory）、ＲＯＭ（read only memory）、フラッシュメモリ、磁気テープ、ＣＤ−ＲＯＭ、ＤＶＤ、及びＢｌｕｅ−ｒａｙディスクなどの光コンパクトディスク、又は電子メモリデバイスであり得る。
【００９０】
本明細書に記載の技術は、種々の手段により実施されることができ、一実施形態で説明される対応する装置の１以上の機能を実施する装置は、従来技術の手段だけでなく、一実施形態で説明される対応する装置の１以上の機能を実施するための手段をも有し、それは、別々の機能のための個別の手段、又は２以上の機能を実行するように構成され得る手段を有し得る。例えば、これら技術は、ハードウェア（１以上の装置）、ファームウェア（１以上の装置）、ソフトウェア（１以上のモジュール）、又はそれらの組み合わせにおいて実行され得る。ファームウェア又はソフトウェアについて、実装は、本明細書に説明される機能を実行するモジュール（例えばプロシージャ、機能、など）を通じてなされ得る。
【００９１】
本明細書における実施形態は、方法および装置のブロック図及びフローチャート図解を参照して上記で説明された。ブロック図及びフローチャート図解の各ブロック、並びにブロック図及びフローチャート図解内のブロックの組み合わせは、それぞれ、コンピュータプログラム命令を含む様々な手段により実行されることができることが理解されるであろう。これらコンピュータプログラム命令は、コンピュータ又は他のプログラム可能データ処理装置上で実行される命令がフローチャートブロックにおいて特定される機能を実行するための手段を生成するように、一般用途コンピュータ、特定用途コンピュータ、又は他のプログラム可能データ処理装置上にロードされ、マシンを生成しうる。
【００９２】
本明細書は、多数の特定の実施の詳細を含んでいるものの、これらは、実施の範囲又は請求される可能性がある範囲の限定として解釈されるべきではなく、特定の実施例の特定の実施形態に特有であり得る特徴の説明として解釈されるべきである。別個の実施形態の文脈において本明細書で説明される特定の特徴は、単一の実施形態において組み合わせて実施されてもよい。反対に、単一の実施形態の文脈で記載されている様々な特徴は、複数の実施形態で別々に、又は任意の適切なサブコンビネーションで実施することもできる。さらに、特徴は、特定の組み合わせで作用するものとして上述されており、当初はそのように主張されていたとしても、請求された組み合わせからの１つ以上の特徴は、場合によっては組み合わせから切り取られてもよく、請求された組み合わせは、サブコンビネーション又はサブコンビネーションのバリエーションに向けられてもよい。
【００９３】
技術が進歩するにつれて、本発明の概念は様々な方法で実施できることは、当業者には明らかであろう。上述の実施形態は、本開示を限定するものではなく説明するために与えられており、当業者が容易に理解するように、本開示の精神及び範囲から逸脱することなく改変および変形が可能であることを理解されるであろう。そのような改変及び変形は、開示及び添付の請求の範囲内にあると考えられる。本開示の保護範囲は、添付の請求の範囲によって規定される。
【図１】
2020162168.tif 000005
【図２】
2020162168.tif 000006
【図３】
2020162168.tif 000007
【図４】
2020162168.tif 000008
【図５】
2020162168.tif 000009
【図６】
2020162168.tif 000010
【図７】
2020162168.tif 000011
【図８】
2020162168.tif 000012
【図９】
2020162168.tif 000013
【図１０】
2020162168.tif 000014
【図１１】
2020162168.tif 000015